【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
第１のトーン間隔に関連する第１の直交周波数分割多重（ＯＦＤＭ）シンボル持続時間を使用するデバイスの第１のセットと、第２のトーン間隔に関連する第２のＯＦＤＭシンボル持続時間を使用するデバイスの第２のセットとの通信をサポートするシステムにおけるワイヤレス通信のための方法であって、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信することと、
前記第２のＯＦＤＭシンボル持続時間と前記第２のトーン間隔とを使用して、第２の時間期間中に第２のＳＩメッセージを送信すること、ここにおいて、前記第２のＳＩメッセージは、前記第１のＳＩメッセージに対する差分を備える、と、
前記第２のＯＦＤＭシンボル持続時間と前記第２のトーン間隔とを使用して、前記キャリアの前記第２の領域中で通信することと
を備える、方法。
【請求項２】
前記キャリアの前記狭帯域領域中の前記１つまたは複数のＤＲＳは、前記第１のＯＦＤＭシンボル持続時間と前記第１のトーン間隔とに従って動作する第１の受信機を使用して識別され、前記キャリアの前記第２の領域中の前記通信は、前記第２のＯＦＤＭシンボル持続時間と前記第２のトーン間隔とに従って動作する第２の受信機を使用し、
前記方法は、前記第１の受信機を使用してセル探索または測定プロシージャを実行することをさらに備え、前記１つまたは複数のＤＲＳは、前記セル探索または測定プロシージャに少なくとも部分的に基づいて識別される、
請求項１に記載の方法。
【請求項３】
前記方法は、
前記第１のＯＦＤＭシンボル持続時間と前記第１のトーン間隔とを使用して、第２のチャネル中で１つまたは複数の追加のＤＲＳを送信することをさらに備え、前記第２のチャネルは、前記デバイスの第２のセットとの通信をサポートする、または
第１の時間期間中に前記キャリアの第１のチャネル中で前記１つまたは複数のＤＲＳと第１のシステム情報（ＳＩ）メッセージとを送信すること、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信すること、ここにおいて、前記第２のチャネルは、前記デバイスの第２のセットとの通信をサポートする、と
をさらに備える、請求項１に記載の方法。
【請求項４】
前記方法は、
ユーザ機器（ＵＥ）から測定報告を受信することと、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定することと
をさらに備える、または
ユーザ機器（ＵＥ）から測定報告を受信することと、
前記測定報告に少なくとも部分的に基づいて、ネイバー基地局によって使用されるシステム帯域幅のチャネルの数を決定すること、ここにおいて、前記測定報告は、前記ネイバー基地局によって使用されるＤＲＳを備える各チャネルについての情報を備える、と
をさらに備える、請求項１に記載の方法。
【請求項５】
前記方法は、
プライマリチャネル上での複数のクリアチャネルアセスメント（ＣＣＡ）試みが、送信ウィンドウ中に不成功だったと決定することと、
前記送信ウィンドウ中に前記１つまたは複数のＤＲＳを送信することを控えることと
をさらに備える、または
前記キャリアのプライマリチャネル上での第１のＣＣＡ試みが不成功だったと決定することと、
前記キャリアの非プライマリチャネル上での第２のＣＣＡ試みが成功したと決定することと、
前記第１のＣＣＡ試みが不成功だったという前記決定と前記第２のＣＣＡ試みが成功したという前記決定とに少なくとも部分的に基づいて、前記非プライマリチャネル上で前記１つまたは複数のＤＲＳを送信すること、ここにおいて、前記非プライマリチャネルは、前記キャリアの前記狭帯域領域を備える、と
をさらに備える、請求項１に記載の方法。
【請求項６】
前記１つまたは複数のＤＲＳは、前記第１のＯＦＤＭシンボル持続時間と前記第１のトーン間隔とを使用する通信が、前記狭帯域領域を備えるチャネルによってサポートされるかどうかのインジケーションを備える、
請求項１に記載の方法。
【請求項７】
前記方法は、
前記１つまたは複数のＤＲＳ、ＳＩメッセージ、前記１つまたは複数のＤＲＳ内の異なるパイロット間の位相シフト、ＤＲＳ内のプライマリ同期信号（ＰＳＳ）に対するセカンダリ同期信号（ＳＳＳ）の相対ロケーション、または前記ＳＩメッセージの成功した復号試みに少なくとも部分的に基づいて、チャネルが、前記第１のＯＦＤＭシンボル持続時間と前記第１のトーン間隔とを使用する通信をサポートするかどうかを決定することをさらに備える、または
前記１つまたは複数のＤＲＳのための第１の送信電力レベルを識別すること、ここにおいて、前記第１の送信電力レベルは、前記１つまたは複数のＤＲＳを含んでいる送信によって占有される帯域幅に依存しない、と、
前記キャリアの帯域幅を識別することと、
前記１つまたは複数のＤＲＳのための前記第１の送信電力レベル、前記キャリアのための総送信電力、または前記１つまたは複数のＤＲＳを含んでいる前記送信によって占有される前記帯域幅、あるいはそれらの組合せに少なくとも部分的に基づいて、前記１つまたは複数のＤＲＳを含んでいる前記送信によって占有される前記帯域幅の外側の領域のための第２の送信電力レベルを調整することと
をさらに備える、請求項１に記載の方法。
【請求項８】
前記１つまたは複数のＤＲＳは、プライマリ同期信号（ＰＳＳ）、セカンダリ同期信号（ＳＳＳ）、マスタ情報ブロック（ＭＩＢ）、セル固有基準信号（ＣＲＳ）、チャネル状態情報基準信号（ＣＳＩ−ＲＳ）、またはそれらの任意の組合せを備える、または
前記１つまたは複数のＤＲＳは、前記デバイスの第１のセットと前記デバイスの第２のセットとに宛てられる、
請求項１に記載の方法。
【請求項９】
前記キャリアの前記狭帯域領域は、前記キャリアのチャネルの６つまたは８つの中心リソースブロック（ＲＢ）を備える、
請求項１に記載の方法。
【請求項１０】
前記狭帯域領域は、前記狭帯域領域が前記キャリアの前記第２の領域と周波数分割多重化されたとき、第１のガードバンドと第２のガードバンドとによって画定される、
請求項１に記載の方法。
【請求項１１】
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のための装置であって、
キャリアの狭帯域領域中の１つまたは複数の発見基準信号（ＤＲＳ）を識別するための手段、ここにおいて、前記１つまたは複数のＤＲＳは、前記第１のＯＦＤＭシンボル持続時間と前記第１のトーン間隔とを使用する、と、
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信するための手段と、
前記第２のＯＦＤＭシンボル持続時間と前記第２のトーン間隔とを使用して、第２の時間期間中に第２のＳＩメッセージを送信するための手段、ここにおいて、前記第２のＳＩメッセージは、前記第１のＳＩメッセージに対する差分を備える、と、
前記キャリアの第２の領域を識別するための手段、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信するための手段と
を備える、装置。
【請求項１２】
前記キャリアの前記狭帯域領域中の１つまたは複数のＤＲＳを前記識別するための手段は、前記第１のＯＦＤＭシンボル持続時間と前記第１のトーン間隔とに従って動作する第１の受信機を備え、前記キャリアの前記第２の領域中で前記通信するための手段は、前記第２のＯＦＤＭシンボル持続時間と前記第２のトーン間隔とに従って動作する第２の受信機を備え、
前記装置は、前記第１の受信機を使用してセル探索または測定プロシージャを実行するための手段をさらに備え、前記１つまたは複数のＤＲＳを前記識別するための手段は、前記セル探索または測定プロシージャに少なくとも部分的に基づいて動作可能である、
請求項１１に記載の装置。
【請求項１３】
前記第１のＯＦＤＭシンボル持続時間と前記第１のトーン間隔とを使用して、第２のチャネル中で１つまたは複数の追加のＤＲＳを送信するための手段をさらに備え、前記第２のチャネルは、前記デバイスの第２のセットとの通信をサポートする、
請求項１１に記載の装置。
【請求項１４】
前記装置は、
第１の時間期間中に前記キャリアの第１のチャネル中で前記１つまたは複数のＤＲＳと第１のシステム情報（ＳＩ）メッセージとを送信するための手段、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信するための手段、ここにおいて、前記第２のチャネルは、前記デバイスの第２のセットとの通信をサポートする、と
をさらに備える、または
ユーザ機器（ＵＥ）から測定報告を受信するための手段と、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定するための手段と、
をさらに備える、請求項１１に記載の装置。
【請求項１５】
プロセッサによって実行されると、前記プロセッサに、請求項１乃至１０のいずれか１項に記載の方法を実行させる命令を備える、コンピュータプログラム。
【手続補正２】
【補正対象書類名】明細書
【補正対象項目名】０１５１
【補正方法】変更
【補正の内容】
【０１５１】
[0159]添付の図では、同様の構成要素または特徴は同じ参照ラベルを有し得る。
さらに、同じタイプの様々な構成要素は、参照ラベルの後に、ダッシュと、それらの同様の構成要素同士を区別する第２のラベルとを続けることによって区別され得る。
第１の参照ラベルのみが本明細書において使用される場合、その説明は、第２の参照ラベルにかかわらず、同じ第１の参照ラベルを有する同様の構成要素のうちのいずれか１つに適用可能である。
以下に、本願出願の当初の特許請求の範囲に記載された発明を付記する。
［Ｃ１］
第１のトーン間隔に関連する第１の直交周波数分割多重（ＯＦＤＭ）シンボル持続時間を使用するデバイスの第１のセットと、第２のトーン間隔に関連する第２のＯＦＤＭシンボル持続時間を使用するデバイスの第２のセットとの通信をサポートするシステムにおけるワイヤレス通信のための方法であって、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信することと
を備える、方法。
［Ｃ２］
前記キャリアの前記狭帯域領域中の前記１つまたは複数のＤＲＳは、前記第１のＯＦＤＭシンボル持続時間と前記第１のトーン間隔とに従って動作する第１の受信機を使用して識別され、前記キャリアの前記第２の領域中の前記通信は、前記第２のＯＦＤＭシンボル持続時間と前記第２のトーン間隔とに従って動作する第２の受信機を使用する、
［Ｃ１］に記載の方法。
［Ｃ３］
前記第１の受信機を使用してセル探索または測定プロシージャを実行することをさらに備え、前記１つまたは複数のＤＲＳは、前記セル探索または測定プロシージャに少なくとも部分的に基づいて識別される、
［Ｃ２］に記載の方法。
［Ｃ４］
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信することと、
前記第２のＯＦＤＭシンボル持続時間と前記第２のトーン間隔とを使用して、第２の時間期間中に第２のＳＩメッセージを送信することと
をさらに備える、［Ｃ１］に記載の方法。
［Ｃ５］
前記第２のＳＩメッセージは、前記第１のＳＩメッセージに対する差分を備える、
［Ｃ４］に記載の方法。
［Ｃ６］
前記第１のＯＦＤＭシンボル持続時間と前記第１のトーン間隔とを使用して、第２のチャネル中で１つまたは複数の追加のＤＲＳを送信することをさらに備え、前記第２のチャネルは、前記デバイスの第２のセットとの通信をサポートする、
［Ｃ４］に記載の方法。
［Ｃ７］
第１の時間期間中に前記キャリアの第１のチャネル中で前記１つまたは複数のＤＲＳと第１のシステム情報（ＳＩ）メッセージとを送信すること、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信すること、ここにおいて、前記第２のチャネルは、前記デバイスの第２のセットとの通信をサポートする、と
をさらに備える、［Ｃ１］に記載の方法。
［Ｃ８］
ユーザ機器（ＵＥ）から測定報告を受信することと、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定することと
をさらに備える、［Ｃ１］に記載の方法。
［Ｃ９］
ユーザ機器（ＵＥ）から測定報告を受信することと、
前記測定報告に少なくとも部分的に基づいて、ネイバー基地局によって使用されるシステム帯域幅のチャネルの数を決定することと
をさらに備える、［Ｃ１］に記載の方法。
［Ｃ１０］
前記測定報告は、前記ネイバー基地局によって使用されるＤＲＳを備える各チャネルについての情報を備える、
［Ｃ９］に記載の方法。
［Ｃ１１］
プライマリチャネル上での複数のクリアチャネルアセスメント（ＣＣＡ）試みが、送信ウィンドウ中に不成功だったと決定することと、
前記送信ウィンドウ中に前記１つまたは複数のＤＲＳを送信することを控えることと
をさらに備える、［Ｃ１］に記載の方法。
［Ｃ１２］
前記キャリアのプライマリチャネル上での第１のＣＣＡ試みが不成功だったと決定することと、
前記キャリアの非プライマリチャネル上での第２のＣＣＡ試みが成功したと決定することと、
前記第１のＣＣＡ試みが不成功だったという前記決定と前記第２のＣＣＡ試みが成功したという前記決定とに少なくとも部分的に基づいて、前記非プライマリチャネル上で前記１つまたは複数のＤＲＳを送信すること、ここにおいて、前記非プライマリチャネルは、前記キャリアの前記狭帯域領域を備える、と
をさらに備える、［Ｃ１］に記載の方法。
［Ｃ１３］
前記１つまたは複数のＤＲＳは、前記第１のＯＦＤＭシンボル持続時間と前記第１のトーン間隔とを使用する通信が、前記狭帯域領域を備えるチャネルによってサポートされるかどうかのインジケーションを備える、
［Ｃ１］に記載の方法。
［Ｃ１４］
前記１つまたは複数のＤＲＳ、ＳＩメッセージ、前記１つまたは複数のＤＲＳ内の異なるパイロット間の位相シフト、ＤＲＳ内のプライマリ同期信号（ＰＳＳ）に対するセカンダリ同期信号（ＳＳＳ）の相対ロケーション、または前記ＳＩメッセージの成功した復号試みに少なくとも部分的に基づいて、チャネルが、前記第１のＯＦＤＭシンボル持続時間と前記第１のトーン間隔とを使用する通信をサポートするかどうかを決定することをさらに備える、
［Ｃ１］に記載の方法。
［Ｃ１５］
前記１つまたは複数のＤＲＳのための第１の送信電力レベルを識別すること、ここにおいて、前記第１の送信電力レベルは、前記１つまたは複数のＤＲＳを含んでいる送信によって占有される帯域幅に依存しない、と、
前記キャリアの帯域幅を識別することと、
前記１つまたは複数のＤＲＳのための前記第１の送信電力レベル、前記キャリアのための総送信電力、または前記１つまたは複数のＤＲＳを含んでいる前記送信によって占有される前記帯域幅、あるいはそれらの組合せに少なくとも部分的に基づいて、前記１つまたは複数のＤＲＳを含んでいる前記送信によって占有される前記帯域幅の外側の領域のための第２の送信電力レベルを調整することと
をさらに備える、［Ｃ１］に記載の方法。
［Ｃ１６］
前記１つまたは複数のＤＲＳは、プライマリ同期信号（ＰＳＳ）、セカンダリ同期信号（ＳＳＳ）、マスタ情報ブロック（ＭＩＢ）、セル固有基準信号（ＣＲＳ）、チャネル状態情報基準信号（ＣＳＩ−ＲＳ）、またはそれらの任意の組合せを備える、
［Ｃ１］に記載の方法。
［Ｃ１７］
前記１つまたは複数のＤＲＳは、前記デバイスの第１のセットと前記デバイスの第２のセットとに宛てられる、
［Ｃ１］に記載の方法。
［Ｃ１８］
前記キャリアの前記狭帯域領域は、前記キャリアのチャネルの６つまたは８つの中心リソースブロック（ＲＢ）を備える、
［Ｃ１］に記載の方法。
［Ｃ１９］
前記第１のＯＦＤＭシンボル持続時間は、前記第２のＯＦＤＭシンボル持続時間よりも大きく、前記第１のトーン間隔は、前記第２のトーン間隔よりも小さい、
［Ｃ１］に記載の方法。
［Ｃ２０］
前記狭帯域領域は、前記狭帯域領域が前記キャリアの前記第２の領域と周波数分割多重化されたとき、第１のガードバンドと第２のガードバンドとによって画定される、
［Ｃ１］に記載の方法。
［Ｃ２１］
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のための装置であって、
キャリアの狭帯域領域中の１つまたは複数の発見基準信号（ＤＲＳ）を識別するための手段、ここにおいて、前記１つまたは複数のＤＲＳは、前記第１のＯＦＤＭシンボル持続時間と前記第１のトーン間隔とを使用する、と、
前記キャリアの第２の領域を識別するための手段、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信するための手段と
を備える、装置。
［Ｃ２２］
前記キャリアの前記狭帯域領域中の１つまたは複数のＤＲＳを前記識別するための手段は、前記第１のＯＦＤＭシンボル持続時間と前記第１のトーン間隔とに従って動作する第１の受信機を備え、前記キャリアの前記第２の領域中で前記通信するための手段は、前記第２のＯＦＤＭシンボル持続時間と前記第２のトーン間隔とに従って動作する第２の受信機を備える、
［Ｃ２１］に記載の装置。
［Ｃ２３］
前記第１の受信機を使用してセル探索または測定プロシージャを実行するための手段をさらに備え、前記１つまたは複数のＤＲＳを前記識別するための手段は、前記セル探索または測定プロシージャに少なくとも部分的に基づいて動作可能である、
［Ｃ２２］に記載の装置。
［Ｃ２４］
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信するための手段と、
前記第２のＯＦＤＭシンボル持続時間と前記第２のトーン間隔とを使用して、第２の時間期間中に第２のＳＩメッセージを送信するための手段と
をさらに備える、［Ｃ２１］に記載の装置。
［Ｃ２５］
前記第２のＳＩメッセージは、前記第１のＳＩメッセージに対する差分を備える、
［Ｃ２４］に記載の装置。
［Ｃ２６］
前記第１のＯＦＤＭシンボル持続時間と前記第１のトーン間隔とを使用して、第２のチャネル中で１つまたは複数の追加のＤＲＳを送信するための手段をさらに備え、前記第２のチャネルは、前記デバイスの第２のセットとの通信をサポートする、
［Ｃ２４］に記載の装置。
［Ｃ２７］
第１の時間期間中に前記キャリアの第１のチャネル中で前記１つまたは複数のＤＲＳと第１のシステム情報（ＳＩ）メッセージとを送信するための手段、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信するための手段、ここにおいて、前記第２のチャネルは、前記デバイスの第２のセットとの通信をサポートする、と
をさらに備える、［Ｃ２１］に記載の装置。
［Ｃ２８］
ユーザ機器（ＵＥ）から測定報告を受信するための手段と、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定するための手段と、
をさらに備える、［Ｃ２１］に記載の装置。
［Ｃ２９］
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のための装置であって、システムにおいて、
プロセッサと、
前記プロセッサと電子通信しているメモリと、
前記メモリに記憶された命令と
を備え、前記命令は、前記プロセッサによって実行されたとき、前記装置に、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信することと
を行わせるように動作可能である、装置。
［Ｃ３０］
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のためのコードを記憶する非一時的コンピュータ可読媒体であって、前記コードは、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信することと
を行うために実行可能な命令を備える、非一時的コンピュータ可読媒体。